(57)【要約】【課題】電子ペーパを用いる電子棚札が低温環境下で使用される場合であっても、電子棚札の製造費およびランニングコストを上昇させることなく、電子棚札が表示する情報を利用する商品管理者の作業効率を高めることが可能な電子棚札を提供する。【解決手段】本実施形態に係る電子棚札４０は、電子ペーパを用いた表示部４１と、受光部４２ａと、書換部４３ａと、を備える。受光部４２ａは、表示部４１の表示の書換指令を受け付ける。書換部４３ａは、表示部４１の表示を書き換える。書換部４３ａは、表示部４１の表示を管理画面から通常画面へと第１描画時間で書き換える。また、書換部４３ａは、受光部４２ａが書換指令として管理画面書換指令を受け付けた場合に、第１描画時間よりも短い第２描画時間で、表示部４１の表示を通常画面から管理画面へと書き換える。【選択図】図４
2015024045.tif 000002
【特許請求の範囲】
【請求項１】
電子ペーパを用いた表示部と、
前記表示部の表示の書換指令を受け付ける受付部と、
前記表示部の表示を書き換える書換部と、
を備え、
前記書換部は、前記表示部の表示を第１画面から第２画面へと第１描画時間で書き換え、前記受付部が前記書換指令として第１指令を受け付けた場合に、前記第１描画時間よりも短い第２描画時間で、前記表示部の表示を前記第２画面から前記第１画面へと書き換える、
電子棚札。
【請求項２】
前記第１画面は、当該電子棚札と関連付けられた商品の在庫情報、および、前記商品の販売情報の少なくとも一方を含む発注関連情報を表示する商品管理者向けの画面であり、
前記第２画面は、前記商品の売価、および、広告の少なくとも一方を表示する商品購入者向けの画面である、
請求項１に記載の電子棚札。
【請求項３】
前記書換部は、前記受付部が前記書換指令として第２指令を受け付けた場合に、前記第１描画時間で前記表示部の表示を前記第２画面から第３画面へと書き換え、
前記第３画面は、前記商品購入者向けの画面である
請求項２に記載の電子棚札。
【請求項４】
周辺温度を計測する温度計測部を更に備え、
前記第１描画時間は、前記温度計測部により計測された周辺温度に応じて決定される、
請求項１から３のいずれか１項に記載の電子棚札。
【請求項５】
前記第１指令は、前記第２描画時間に関する情報を含む、
請求項１から４のいずれか１項に記載の電子棚札。
【請求項６】
複数の電子棚札と、
前記電子棚札に各種指令を送信する携帯型送信機と、
を備え、
各前記電子棚札は、電子ペーパを用いた表示部と、前記携帯型送信機から前記指令を受信する受信部と、第１描画時間で前記表示部の表示を第１画面から第２画面へと書き換える書換部と、を有し、
前記携帯型送信機は、前記表示部の表示を前記第２画面から前記第１画面へと書き換えることを命じる第１指令を前記受信部に送信し、
前記書換部は、前記受信部が前記第１指令を受信した場合に、前記第１描画時間よりも短い第２描画時間で、前記表示部の表示を前記第２画面から前記第１画面へと書き換える、
電子棚札システム。
【発明の詳細な説明】
【技術分野】
【０００１】
本発明は、電子ペーパを用いる電子棚札、および、電子ペーパを用いる電子棚札を備えた電子棚札システムに関する。
【背景技術】
【０００２】
従来、スーパーマーケットやコンビニエンスストアなどの店舗で、電子ペーパを利用した電子棚札が使用されている。電子棚札は、その電子棚札と関連付けられた商品の売価等の情報を受け付け、その情報に基づいて表示部としての電子ペーパの表示を書き換える。また、電子棚札は、店舗の従業員等の商品管理者の要望に応じて電子ペーパの表示を書き換え、商品管理に必要な情報（例えば、商品の在庫数など）を表示する。
【０００３】
ところで、電子ペーパには、表示の書き換えに必要な時間が低温環境下で長くなるという特性がある。そのため、冷蔵商品の陳列ケース内等の低温環境下で電子棚札が用いられる場合には、商品管理者が商品管理に必要な情報を売場で確認する際に、表示の書き換え待ちの時間が発生している。
【０００４】
これに対し、特許文献１（特開２００８−４８８６８号公報）には、電子ペーパの温度を維持するためのヒータを備えた電子棚札が開示されている。これにより、電子棚札の設置場所の温度の影響を受けることなく、電子ペーパの表示の書き換えを短時間で行うことが可能である。
【発明の概要】
【発明が解決しようとする課題】
【０００５】
しかし、特許文献１（特開２００８−４８８６８号公報）の電子棚札では、電子棚札にヒータを設ける必要があるため、電子棚札の製造費が高額になりやすい。また、ヒータを駆動するための電力が必要となり、電子棚札のランニングコストも高額になりやすい。
【０００６】
本発明の課題は、電子ペーパを用いる電子棚札が低温環境下で使用される場合であっても、電子棚札の製造費およびランニングコストを上昇させることなく、電子棚札が表示する情報を利用する商品管理者の作業効率を向上させることが可能な、電子棚札および電子棚札システムを提供することにある。
【課題を解決するための手段】
【０００７】
本発明に係る電子棚札は、電子ペーパを用いた表示部と、受付部と、書換部と、を備える。受付部は、表示部の表示の書換指令を受け付ける。書換部は、表示部の表示を書き換える。書換部は、表示部の表示を第１画面から第２画面へと第１描画時間で書き換える。また、書換部は、受付部が書換指令として第１指令を受け付けた場合に、第１描画時間よりも短い第２描画時間で、表示部の表示を第２画面から第１画面へと書き換える。
【０００８】
ここでは、表示部の表示が第１画面から第２画面へと書き換えられる場合には、比較的長い（第２描画時間よりも長い）第１描画時間で表示が書き換えられるのに対し、受付部が第１指令を受け付けた場合には、第２画面から第１画面へと比較的短い（第１描画時間よりも短い）第２描画時間で表示部の表示が書き換えられる。そのため、電子棚札が低温環境下で使用されたとしても、第１指令により（言い換えれば、商品管理者の要望に応じて）、表示部の表示を比較的短時間で書き換えることができ、商品管理者の作業効率を向上させることが可能である。
【０００９】
また、本発明に係る電子棚札では、第１画面は、当該電子棚札と関連付けられた商品の在庫情報、および、当該電子棚札と関連付けられた商品の販売情報の少なくとも一方を含む発注関連情報を表示する商品管理者向けの画面であることが望ましい。第２画面は、当該電子棚札と関連付けられた商品の売価、および、広告の少なくとも一方を表示する商品購入者向けの画面であることが望ましい。
【００１０】
ここでは、第１画面は商品管理者向けの画面であるため、画質はあまり重要ではないが、作業効率の観点から描画時間の短縮が求められる。一方、第２画面は、商品購入者向けの画面であることから、画質が特に重要となる。
【００１１】
これに対し、上記のように、第１指令を受け付けた場合には、第２画面から第１画面へと比較的短い第２描画時間で表示部の表示が書き換えられるため、第１画面を作業に利用する商品管理者の作業性を向上させることができる。一方で、第１画面から第２画面へと表示が書き換えられる場合には、描画時間として比較的長い第１描画時間が確保されるため、商品購入者向けの第２画面の画質を高く維持することが容易である。
【００１２】
また、本発明に係る電子棚札では、書換部は、受付部が書換指令として第２指令を受け付けた場合に、第１描画時間で表示部の表示を第２画面から第３画面へと書き換えることが望ましい。第３画面は、商品購入者向けの画面であることが望ましい。
【００１３】
ここでは、電子棚札の表示部の表示が、商品購入者向けの画面（第２画面）から、別の商品購入者向けの画面（第３画面）へと書き換えられる場合に、比較的長い第１描画時間で表示部の書き換えが行われるため、高い画質の画像を表示することが容易である。その結果、商品購入者による表示部の表示内容の誤認が発生しにくい。
【００１４】
また、本発明に係る電子棚札は、周辺温度を計測する温度計測部を更に備えることが望ましい。第１描画時間は、温度計測部により計測された周辺温度に応じて決定されることが望ましい。
【００１５】
ここでは、第１描画時間が、周辺温度に応じて決定される。そのため、低温条件下にあっても、第２画面については、高い画質を維持することが容易である。
【００１６】
また、本発明に係る電子棚札では、第１指令は、第２描画時間に関する情報を含むことが望ましい。
【００１７】
ここでは、第２描画時間を可変とすることが容易である。第２描画時間を可変とすることで、必要に応じて、表示部の描画時間を長くして第１画面の画質を改善したり、表示部の描画時間を短くして作業効率をより向上させたりすることができる。
【００１８】
本発明に係る電子棚札システムは、複数の電子棚札と、電子棚札に各種指令を送信する携帯型送信機とを備える。各電子棚札は、電子ペーパを用いた表示部と、受信部と、書換部と、を有する。受信部は、携帯型送信機から各種指令を受信する。書換部は、第１描画時間で表示部の表示を第１画面から第２画面へと書き換える。携帯型送信機は、表示部の表示を第２画面から第１画面へと書き換えることを命じる第１指令を受信部に送信する。書換部は、受信部が第１指令を受信した場合に、第１描画時間よりも短い第２描画時間で、表示部の表示を第２画面から第１画面へと書き換える。
【００１９】
ここでは、電子棚札の表示部の表示が第１画面から第２画面へと書き換えられる場合には、比較的長い第１描画時間で表示が書き換えられるのに対し、商品管理者が携帯型送信機を用いて電子棚札に第１指令を送信する場合には、第２画面から第１画面へと比較的短い第２描画時間で表示部の表示が書き換えられる。そのため、電子棚札が低温環境下で使用されたとしても、第１指令により（言い換えれば、商品管理者の要望に応じて）、表示部の表示を比較的短時間で書き換えることができ、商品管理者の作業効率を向上させることが可能である。
【発明の効果】
【００２０】
本発明に係る電子棚札では、表示部の表示が第１画面から第２画面へと書き換えられる場合には、比較的長い（第２描画時間よりも長い）第１描画時間で表示が書き換えられるのに対し、受付部が第１指令を受け付けた場合には、第２画面から第１画面へと比較的短い（第１描画時間よりも短い）第２描画時間で表示部の表示が書き換えられる。そのため、電子棚札が低温環境下で使用されたとしても、第１指令により（言い換えれば、商品管理者の要望に応じて）、表示部の表示を比較的短時間で書き換えることができ、商品管理者の作業効率を向上させることが可能である。
【図面の簡単な説明】
【００２１】
【図１】本発明の一実施形態に係る電子棚札システムを示す図である。また、本発明の一実施形態に係る電子棚札を含んだ、電子棚札システムを示す図である。
【図２】図１に係る電子棚札の配置例を示す図である。
【図３】図１に係る電子棚札の外観を示す図である。
【図４】図１に係る電子棚札システムの概略構成を示すブロック図である。
【図５】図１に係る電子棚札の商品購入者用の画面（通常画面）の表示例である。
【図６】図１に係る電子棚札の商品管理者用の画面（管理画面）の表示例である。
【図７】図１に係る電子棚札の記憶部に記憶されている、周辺温度と第１描画時間とが関連付けられたテーブルである。
【図８】図１に係る電子棚札における、書換部による表示部の書換処理のフローチャートである。電子棚札の受光部が通常画面書換指令を受信した場合の書換処理のフローチャートである。
【図９】図１に係る電子棚札における、書換部による表示部の書換処理のフローチャートである。電子棚札の受光部が管理画面書換指令を受信した場合の書換処理のフローチャートである。
【発明を実施するための形態】
【００２２】
以下、図面を参照しながら、本発明の一実施形態に係る、電子棚札システム１００および電子棚札４０について説明する。
【００２３】
なお、本実施形態に係る電子棚札システム１００および電子棚札４０は例示であり、電子棚札システムおよび電子棚札は、以下に記載する内容に限定されるものではない。電子棚札システムおよび電子棚札は、発明の趣旨と矛盾しない範囲で、その他の態様も採用可能である。
【００２４】
（１）全体構成
電子棚札システム１００は、例えば、スーパーマーケットやコンビニエンスストアなどの店舗等で使用されるシステムである。電子棚札システム１００は、店舗で販売される商品等の商品情報を記憶する電子棚札サーバ１０と、店舗の売場等に陳列される商品に対応して配置される複数の電子棚札４０とを有し、各電子棚札４０に、対応する商品の商品情報を表示させるシステムである。
【００２５】
電子棚札システム１００は、図１に示すように、主として、電子棚札サーバ１０と、複数のトランシーバ３０と、複数の電子棚札４０と、リモコン５０と、を備える。
【００２６】
電子棚札４０は、可搬式の、電池駆動式の表示装置である。各電子棚札４０には、その電子棚札４０と、他の電子棚札４０とを識別するための、固有のＩＤ（装置ＩＤ）が付されている。各電子棚札４０は、店舗の売場に陳列される複数の種類の商品Ｐのうち、対応する商品Ｐの近傍に配置される（図２参照）。電子棚札４０は、一般の売場（電子棚札４０の周辺温度が、店舗内の温度とほぼ等しい売場）で使用される他、冷蔵ショーケース内でも使用される。冷蔵ショーケース内では、電子棚札４０の周辺温度は低温（例えば０℃付近）になる。
【００２７】
各電子棚札４０は、対応する商品Ｐに関する商品情報を、商品購入者向けの通常画面として、後述する表示部４１に表示する（図３参照）。通常画面は、第２画面および第３画面の一例である。商品情報は、商品Ｐに関する種々の情報であり、例えば、商品名、商品の売価、単位数量あたりの価格等を含む。また、商品情報には、前記の情報に代えて、または、前記の情報に加えて、販売促進用の広告が含まれてもよい。
【００２８】
また、電子棚札４０の表示部４１に表示される画面には、店舗の店員等の商品管理者向けの管理画面が存在する。管理画面は、第１画面の一例である。管理画面は商品管理者が商品管理に利用する画面であり、具体的には、各電子棚札４０に対応する商品Ｐに関する発注関連情報を表示する画面である。発注関連情報は、各電子棚札４０と関連付けられた商品Ｐの在庫情報（例えば、商品Ｐの在庫数、商品Ｐの入荷日、商品Ｐの発注数等）、および、各電子棚札４０と関連付けられた商品Ｐの販売情報（例えば、商品Ｐの販売数、最終販売日、最終販売時刻等）の少なくとも一方を含む情報である。商品管理者は、リモコン５０により電子棚札４０を操作することで（リモコン５０から管理画面書換指令を送信することで）、表示部４１の表示を、通常画面から管理画面に書き換えることができる。
【００２９】
電子棚札サーバ１０は、電子棚札システム１００を統括的に制御するコンピュータである。電子棚札サーバ１０には、電子棚札４０に表示させるための商品情報が記憶されている。電子棚札サーバ１０は、電子棚札システム１００の起動時や、電子棚札４０の表示変更が必要な時に、電子棚札４０に対して商品情報（具体的には商品情報の画像データ）を送信するよう、トランシーバ３０に指示する。
【００３０】
トランシーバ３０は、電子棚札４０の後述する通信部４２との間で、赤外線を用いて各種信号の送受信を行う。また、トランシーバ３０は、ＬＡＮ（Local Area Network）等のネットワーク２を介して、電子棚札サーバ１０と接続される。トランシーバ３０は、電子棚札サーバ１０から指令を受け付け、その指令に従い、電子棚札サーバ１０からトランシーバ３０に送信されてきた商品情報の画像データや発注関連情報の画像データを、赤外線を用いて電子棚札４０に送信する。また、トランシーバ３０は、電子棚札４０から送信されてきた赤外線信号を受信し、受信した信号を電気信号に変換して、ネットワーク２を介して電子棚札サーバ１０に送信する。
【００３１】
リモコン５０は、携帯型送信機の一例である。リモコン５０は、商品管理者に操作されることで、そのリモコン５０の発信部（図示せず）が向けられた電子棚札４０の通信部４２に、各種指令を送信する。リモコン５０は、各種指令の送信に、赤外線を用いる。リモコン５０は、例えば、商品管理者の操作に応じて、表示部４１の表示を管理画面に書き換えることを要求する管理画面書換指令を、電子棚札４０の通信部４２に送信する。
【００３２】
（２）詳細構成
以下に、電子棚札サーバ１０と、トランシーバ３０と、電子棚札４０と、リモコン５０と、について詳細に説明する。
【００３３】
（２−１）電子棚札サーバ
電子棚札サーバ１０は、電子棚札システム１００を統括的に管理するコンピュータである。電子棚札サーバ１０は、電子棚札システム１００の設置される店舗のバックヤード等に配置される。
【００３４】
電子棚札サーバ１０は、ＬＡＮ（Local Area Network）等のネットワーク２を介して、トランシーバ３０と接続されている。電子棚札サーバ１０は、その機能の１つとして、電子棚札４０に対し、トランシーバ３０を介して、電子棚札４０の表示部４１に表示させるための商品情報の画像データや発注関連情報の画像データを送信する。
【００３５】
電子棚札サーバ１０は、主に、サーバ通信部１１と、サーバ表示部１２と、サーバ入力部１３と、サーバ記憶部１４と、サーバ制御部１５とを有する（図４参照）。
【００３６】
（２−１−１）サーバ通信部
サーバ通信部１１は、電子棚札サーバ１０とトランシーバ３０との通信を可能にするための通信インターフェースである。また、サーバ通信部１１は、図示されない電子棚札システム１００外の機器（例えば、店舗に電子棚札システム１００と共に設置されるＰＯＳシステムのサーバおよびストアコントローラ等）とも通信可能に構成されている。サーバ通信部１１からトランシーバ３０に送信された商品情報の画像データは、トランシーバ３０から電子棚札４０へと赤外線を用いて送信される。
【００３７】
（２−１−２）サーバ表示部
サーバ表示部１２は、液晶ディスプレイである。サーバ表示部１２には、電子棚札システム１００に関する各種情報を表示可能である。
【００３８】
（２−１−３）サーバ入力部
サーバ入力部１３は、マウスおよびキーボードである。電子棚札システム１００の管理者（店舗の従業員等）は、サーバ入力部１３を介して、電子棚札サーバ１０に対する各種指令や、各種情報を入力可能である。
【００３９】
（２−１−４）サーバ記憶部
サーバ記憶部１４は、主にＲＯＭ、ＲＡＭ、およびハードディスクにより構成される。
【００４０】
サーバ記憶部１４には、後述するサーバ制御部１５により実行される各種プログラムが記憶される。また、サーバ記憶部１４には、電子棚札４０の通常画面に表示される商品情報（例えば、商品名、通常売価、特別売価、割引率、単位量あたりの価格、販売促進用の広告等）が各商品Ｐ別に記憶されている。また、サーバ記憶部１４には、電子棚札４０の管理画面に表示される発注関連情報（在庫情報（例えば、在庫数、入荷日、発注数等）、および、販売情報（例えば、販売数、最終販売日、最終販売時刻等）の少なくとも一方を含む情報）が各商品Ｐ別に記憶されている。さらに、サーバ記憶部１４には、商品Ｐの商品ＩＤ（商品Ｐにバーコード等で付された商品ＩＤ）と、その商品Ｐの商品情報を表示させる電子棚札４０の装置ＩＤとが、関連付けられて（リンク付けられて）記憶されている。
【００４１】
（２−１−５）サーバ制御部
サーバ制御部１５は、主にＣＰＵから構成される。サーバ制御部１５は、サーバ記憶部１４に記憶されているプログラムを実行することで、電子棚札システム１００の各種制御を行う。
【００４２】
例えば、サーバ制御部１５は、ある電子棚札４０の通常画面の表示変更が必要な時に、サーバ通信部１１およびトランシーバ３０を介して、第２指令の一例としての通常画面書換指令を、電子棚札４０に送信する。具体的には、サーバ制御部１５は、ある電子棚札４０の通常画面の表示変更が必要な時に、その電子棚札４０に表示させるための商品情報の画像データをサーバ記憶部１４に記憶された商品情報を基に作成し、通常画面書換指令として送信する。なお、サーバ制御部１５は、商品情報の画像データを送信する際に、画像データを受信した電子棚札４０が、受信した画像データ（通常画面書換指令）が自己宛のものであるか否かを判別するための識別子（商品情報の画像データの送信対象の電子棚札４０の装置ＩＤ）を一緒に送信する。なお、電子棚札４０の通常画面の表示変更が必要な時とは、例えば、サーバ記憶部１４において、その電子棚札４０とリンク付けされた商品Ｐ（その電子棚札４０の装置ＩＤとリンク付けされた商品ＩＤを有する商品Ｐ）の商品情報が更新された時である。また、例えば、電子棚札４０の表示変更が必要な時とは、その電子棚札４０とリンク付けされた商品Ｐの価格を通常販売価格から特別販売価格へと変更する時である。
【００４３】
また例えば、サーバ制御部１５は、商品Ｐの最新の発注関連情報の画像データ（電子棚札４０の表示部４１に管理画面として表示させるための画像データ）をサーバ記憶部１４に記憶された発注関連情報を基に作成し、サーバ通信部１１およびトランシーバ３０を介して、その商品Ｐとリンク付けされた電子棚札４０に定期的に送信する。サーバ制御部１５は、発注関連情報の画像データを送信する際に、商品情報の画像データの送信時と同様に、識別子を一緒に送信する。なお、サーバ制御部１５は、定期的に商品Ｐの発注関連情報を送信する代わりに、あるいは、定期的に商品Ｐの発注関連情報を送信するのに加えて、サーバ記憶部１４に記憶される商品Ｐの発注関連情報が変更された場合に、その商品Ｐの発注関連情報の画像データを、その商品Ｐとリンク付けされた電子棚札４０に送信してもよい。また、サーバ制御部１５は、定期的に商品Ｐの発注関連情報を送信する代わりに、あるいは、定期的に商品Ｐの発注関連情報を送信するのに加えて、サーバ入力部１３に入力される発注関連情報の画像データの送信指令に応じて、商品Ｐの発注関連情報の画像データを、その商品Ｐとリンク付けされた電子棚札４０に送信してもよい。また、サーバ制御部１５は、定期的に商品Ｐの発注関連情報を送信する代わりに、あるいは、定期的に商品Ｐの発注関連情報を送信するのに加えて、サーバ通信部１１が受け付けた発注関連情報の画像データの送信要求に応じて、商品Ｐの発注関連情報の画像データを、その商品Ｐとリンク付けされた電子棚札４０に送信してもよい。
【００４４】
（２−２）トランシーバ
トランシーバ３０は、電子棚札４０の後述する通信部４２との間で、赤外線を用いて信号の送受信を行う。また、トランシーバ３０は、ネットワーク２を介して電子棚札サーバ１０と接続され、電子棚札サーバ１０との間で信号の送受信を行う。
【００４５】
トランシーバ３０は、例えば、電子棚札４０が設置される店舗の売場の天井に、一定の間隔を空けて取り付けられる。トランシーバ３０の設置台数および設置場所は、店舗内に設置された電子棚札４０が、いずれかのトランシーバ３０と赤外線通信可能となるように決定される。
【００４６】
トランシーバ３０は、電子棚札サーバ１０からの指令に従い、電子棚札４０の通信部４２に対し各種指令や各種情報を送信する。例えば、トランシーバ３０は、電子棚札サーバ１０からの指令に従い、商品情報の画像データを通常画面書換指令として送信する。また、例えば、トランシーバ３０は、電子棚札サーバ１０からの指令に従い、発注関連情報の画像データを送信する。また、トランシーバ３０は、電子棚札４０の通信部４２から赤外線信号（例えば、後述するＡＣＫ信号）を受信すると、受信した赤外線信号を電気信号に変換し、ネットワーク２を介して電子棚札サーバ１０のサーバ通信部１１に送信する。
【００４７】
（２−３）電子棚札
電子棚札４０は、店舗で取り扱われる商品Ｐのそれぞれに対応して配置され、通常画面として、対応する商品Ｐに関する商品情報を表示する（図２参照）。例えば、電子棚札４０には、商品Ｐの商品名、売価、および単位数量あたりの単価が、商品情報として表示される（図３参照）。
【００４８】
電子棚札４０は、図４のように、主に表示部４１、通信部４２、制御部４３、記憶部４４、温度センサ４５、および電池４６を有する。
【００４９】
（２−３−１）表示部
表示部４１は、図５のような通常画面（記憶部４４に記憶されている商品情報の画像データ）や、図６のような管理画面（記憶部４４に記憶されている発注関連情報の画像データ）を表示するためのディスプレイである。表示部４１には、商品管理者が特に指示した場合（リモコン５０から管理画面書換指令を送信した場合等）を除いて、通常画面が表示される。
【００５０】
表示部４１には、電子ペーパが用いられる。すなわち、表示部４１は、マトリクス状に配列された複数の画素で構成される、ドットマトリクス方式のディスプレイである。表示部４１は、不揮発性であり、電力が供給されなくても表示内容を保持することが可能である。
【００５１】
表示部４１に用いられる電子ペーパは、溶液中の荷電粒子を電気泳動させることでその表示を変化させる。表示部４１の表示を書き換える際には、それまで表示されていた画像を、荷電粒子を電気泳動させることで消去し、表示させたい画像を、荷電粒子を電気泳動させることで描画する。溶液中の荷電粒子の移動速度は温度に依存するため、表示部４１に画像を描画するための最適時間は、電子棚札４０の設置場所の周辺温度に依存して変化する。具体的には、荷電粒子の電気泳動の速度は低温になるほど遅くなるため、表示部４１に画像を描画する最適時間（それまで表示されていた画像を消去し、表示部４１に、認識の容易な、鮮明な画像を描画するための時間）は、電子棚札４０の設置場所の周辺温度が低いほど遅くなる。
【００５２】
表示部４１の表示を書き換える描画時間は、後述する制御部４３の書換部４３ａにより決定される。後述するように、書換部４３ａは、描画する内容に応じ（通常画面と管理画面とのいずれを描画するかによって）、異なる方法で描画時間を決定し、決定した描画時間で表示を書き換えることを表示部４１に命じる。
【００５３】
（２−３−２）通信部
通信部４２は、トランシーバ３０との間で、赤外線により信号の送受信を行う。また、通信部４２は、リモコン５０から送信されてくる赤外線信号を受信する。通信部４２は、受光部４２ａと、発光部４２ｂと、を有する（図４参照）。受光部４２ａは、フォトダイオードおよびアンプを主に有する。発光部４２ｂは、ＬＥＤを主に有する。
【００５４】
受光部４２ａは、受付部および受信部の一例である。受光部４２ａは、電子棚札サーバ１０からトランシーバ３０を介して送信される、通常画面書換指令（第２指令の一例）としての商品情報の画像データを受信する。また、受光部４２ａは、電子棚札サーバ１０からトランシーバ３０を介して送信される、発注関連情報の画像データを受信する。さらに、受光部４２ａは、リモコン５０から送信される、管理画面書換指令（第１指令の一例）を含む各種指令を受信する。受光部４２ａは、受信した赤外線信号を電気信号に変換し、制御部４３に送信する。
【００５５】
発光部４２ｂは、制御部４３の指示により、トランシーバ３０に対して各種信号を送信する。例えば、発光部４２ｂは、制御部４３の指示により、受光部４２ａが自己宛の商品情報の画像データを受信したことを電子棚札サーバ１０に知らせるための信号（ＡＣＫ信号）を、トランシーバ３０に対して送信する。
【００５６】
（２−３−３）制御部
制御部４３は、主にＣＰＵによって構成される。制御部４３は、表示部４１、通信部４２、記憶部４４、温度センサ４５、および電池４６と電気的に接続されている（図４参照）。
【００５７】
制御部４３は、後述する記憶部４４に記憶されたプログラムを実行することで、電子棚札４０の各部を制御する。制御部４３は、具体的には、例えば、以下の制御を行う。
【００５８】
制御部４３は、通信部４２を制御して、トランシーバ３０から送信されてくる商品情報の画像データ（通常画面書換指令）および識別子を受信させる。なお、識別子は、商品情報の画像データの送信対象の電子棚札４０の装置ＩＤである。制御部４３は、通信部４２が商品情報の画像データを受信すると、受信した画像データと共に送信されてきた識別子を、後述する記憶部４４に記憶されている装置ＩＤ（その制御部４３が属する電子棚札４０の装置ＩＤ）と比較する。制御部４３は、識別子と、記憶部４４に記憶されている装置ＩＤとが一致する場合には、自己宛の（その制御部４３が属する電子棚札４０宛の）商品情報の画像データを受信したと判定する。制御部４３は、自己宛の商品情報の画像データを受信したと判定すると、通信部４２を制御し、トランシーバ３０に対して、自己宛の商品情報の画像データを受信した旨を知らせる信号（ＡＣＫ信号）を送信させる。そして、制御部４３は、通信部４２が受信した自己宛の商品情報の画像データを、記憶部４４に記憶させる。更に、制御部４３の機能部である書換部４３ａは、記憶部４４に記憶された商品情報の画像データ（通常画面）が表示されるように、表示部４１の表示を書き換える。
【００５９】
また、制御部４３は、通信部４２を制御して、トランシーバ３０から送信されてくる発注関連情報の画像データおよび識別子を受信させる。制御部４３は、通信部４２が発注関連情報の画像データを受信すると、受信した画像データと共に送信されてきた識別子を、後述する記憶部４４に記憶されている装置ＩＤ（その制御部４３が属する電子棚札４０の装置ＩＤ）と比較する。制御部４３は、識別子と、記憶部４４に記憶されている装置ＩＤとが一致する場合には、自己宛の（その制御部４３が属する電子棚札４０宛の）発注関連情報の画像データを受信したと判定する。制御部４３は、自己宛の発注関連情報の画像データを受信したと判定すると、通信部４２を制御し、トランシーバ３０に対して、自己宛の発注関連情報の画像データを受信した旨を知らせる信号（ＡＣＫ信号）を送信させる。そして、制御部４３は、通信部４２が受信した自己宛の発注関連情報の画像データを、記憶部４４に記憶させる。
【００６０】
また、制御部４３は、通信部４２を制御して、リモコン５０から送信されてくる、描画指示時間を情報として含む管理画面書換指令を受信させる。描画指示時間については後述する。制御部４３の機能部である書換部４３ａは、受信した管理画面書換指令に応じて、記憶部４４に記憶された発注関連情報の画像データ（管理画面）が表示されるように、表示部４１の表示を書き換える。
【００６１】
（２−３−３−１）書換部
書換部４３ａは、受光部４２ａが受け付けた通常画面書換指令および管理画面書換指令に応じて表示部４１の表示を書き換える。また、書換部４３ａは、管理画面書換指令に応じて表示部４１の表示を管理画面に書き換えてから所定時間経過した後に、表示部４１の表示を通常画面に書き換える。
【００６２】
書換部４３ａは、表示部４１の表示を管理画面から通常画面に書き換える際の第１描画時間と、表示部４１の表示を通常画面から管理画面に書き換える際の第２描画時間と、を異なる方法で決定する。また、書換部４３ａは、受光部４２ａが通常画面書換指令を受け付けた際の描画時間を、第１描画時間と同じ方法で決定する。つまり、書換部４３ａは、受光部４２ａが通常画面書換指令を受け付けた場合には、第１描画時間で表示の書き換えを行う。
【００６３】
書換部４３ａによる、表示部４１の表示の書換処理（描画時間の決定方法を含む）については後述する。
【００６４】
（２−３−４）記憶部
記憶部４４は、ＥＥＰＲＯＭ等の不揮発性メモリによって構成される記憶部である。ただし、これに限定されるものではなく、記憶部４４にＲＡＭ等の揮発性メモリが使用されてもよい。
【００６５】
記憶部４４には、制御部４３が電子棚札４０の各部の制御を行うためのプログラムの他、電子棚札４０の固有の識別子である装置ＩＤや、電子棚札サーバ１０から送信された商品情報の画像データおよび管理情報の画像データが記憶される。また、記憶部４４には、書換部４３ａが第１描画時間を決定するために用いる、電子棚札４０の周辺温度と、第１描画時間とを関連付けたテーブル（図７参照）が記憶されている。周辺温度と第１描画時間とを関連付けたテーブルについては、後述する。
【００６６】
（２−３−５）温度センサ
温度センサ４５は、温度計測部の一例である。温度センサ４５は、電子棚札４０の周辺温度Ｔａを測定する温度センサである。温度センサ４５の検出結果は、制御部４３に対して送信される。
【００６７】
（２−３−６）電池
電池４６は、電子棚札４０の表示部４１、通信部４２、制御部４３、記憶部４４、および温度センサ４５に駆動電力を供給する。表示部４１、通信部４２、記憶部４４、および温度センサ４５には、ＦＥＴ等のスイッチ（図示せず）がそれぞれ設けられている。制御部４３は、これらのスイッチを制御することで、表示部４１、通信部４２、記憶部４４、および温度センサ４５への電力の供給を制御する。
【００６８】
（２−４）リモコン
リモコン５０は、携帯型送信機の一例である。リモコン５０は、商品管理者により携帯され、電子棚札４０に各種指令を送信するために使用される。リモコン５０は、赤外線を用いて、電子棚札４０に各種指令を送信する。
【００６９】
例えば、リモコン５０は、電子棚札４０に対して管理画面書換指令を送信するために使用される。管理画面書換指令は、その指令を受信した電子棚札４０に、表示部４１の表示を管理画面に書き換えるよう命じる指令である。管理画面書換指令は、後述するように、描画指示時間を情報として含む。
【００７０】
リモコン５０は、管理画面書換指令を送信するためのスイッチとして、３つのスイッチ５１ａ，５１ｂ，５１ｃを有する（図４参照）。いずれのスイッチ５１ａ，５１ｂ，５１ｃも、電子棚札４０に対し、管理画面書換指令を送信するためのスイッチである点は共通する。ただし、いずれのスイッチ５１ａ，５１ｂ，５１ｃを押すかによって、リモコン５０は、異なる描画指示時間を情報として含む管理画面書換指令を送信する。なお描画指示時間とは、管理画面書換指令を受け付けた電子棚札４０に対し、その時間で管理画面を描画するよう指示するための情報である。ここでは、スイッチ５１ａを押した場合に最も長い描画指示時間Ｂ１を情報として含む管理画面書換指令が送信され、スイッチ５１ｂを押した場合に次に長い描画指示時間Ｂ２を情報として含む管理画面書換指令が送信され、スイッチ５１ｃを押した場合に最も短い描画指示時間Ｂ３を情報として含む管理画面書換指令が送信される。つまり、描画指示時間Ｂ１〜Ｂ３には、Ｂ１＞Ｂ２＞Ｂ３という関係がある。
【００７１】
（３）書換部による表示部の書換処理
書換部４３ａによる表示部４１の表示の書換処理について、図８および図９のフローチャートを用いて説明する。
【００７２】
ここでは、受光部４２ａが、その受光部４２ａが属する電子棚札４０宛の通常画面書換指令、または、管理画面書換指令を受け付けていることを前提として、書換部４３ａによる表示部４１の表示の書き換え処理を説明する。
【００７３】
まず、受光部４２ａが、その受光部４２ａが属する電子棚札４０宛の通常画面書換指令（第２指令の一例）を受け付けた場合について、図８のフローチャートを用いて説明する。
【００７４】
ステップＳ１０１では、書換部４３ａは、温度センサ４５から制御部４３に送信される周辺温度Ｔａを取得する。その後ステップＳ１０２に進む。
【００７５】
ステップＳ１０２では、書換部４３ａは、記憶部４４に記憶されている、電子棚札４０の周辺温度と第１描画時間とを関連付けたテーブル（図７参照）を用いて、表示部４１の表示を、現在の通常画面（第２画面の一例）から新たな通常画面（第３画面の一例）へと書き換える際の第１描画時間を決定する。
【００７６】
電子棚札４０の周辺温度と、第１描画時間とを関連付けたテーブルでは、図７のように、周辺温度ＴａがＴａ＜Ｔ１の場合には第１描画時間はＡ１秒、周辺温度ＴａがＴ１≦Ｔａ＜Ｔ２の場合には第１描画時間はＡ２秒、周辺温度ＴａがＴ２≦Ｔａ＜Ｔ３の場合には第１描画時間はＡ３秒、周辺温度ＴａがＴ３≦Ｔａ＜Ｔ４の場合には第１描画時間はＡ４秒、周辺温度ＴａがＴａ＞Ｔ４の場合には第１描画時間はＡ５秒という情報が記憶されている。なお、Ｔ１〜Ｔ４には、Ｔ１＜Ｔ２＜Ｔ３＜Ｔ４という関係があり、Ａ１〜Ａ５には、Ａ１＞Ａ２＞Ａ３＞Ａ４＞Ａ５という関係がある。Ａ１は、例えば１５秒であり、Ａ５は、例えば３秒である。つまり、図７のテーブルは、表示部４１の電子ペーパは周辺温度が低いほど長い描画時間が必要になるという特性にあわせたテーブルになっている。第１描画時間Ａ１〜Ａ５は、対応する温度範囲で用いられる場合に、表示部４１に図５のような明瞭な画像が得られるように予め決定された最適時間である。なお、図７のテーブルは、例示にすぎず、第１描画時間は、周辺温度Ｔａに応じて、より多くの段階（６段階以上）で変化するようなものであってもよいし、より少ない段階（４段階以下）で変化するものであってもよい。
【００７７】
書換部４３ａは、ステップＳ１０１で取得した周辺温度Ｔａに応じて、第１描画時間を決定する。具体的には、現在の周辺温度Ｔａが、記憶部４４に記憶されたテーブルの中で、どの温度範囲に入るかを把握し、その温度範囲に対応するテーブル中の第１描画時間の値を、表示部４１の表示の書き換えに実際に使用する第１描画時間として決定する。
【００７８】
次に、ステップＳ１０３では、書換部４３ａは、記憶部４４に記憶された商品情報の画像データを読み出す。
【００７９】
次に、ステップＳ１０４では、書換部４３ａは、ステップＳ１０３で読み出した商品情報の画像データを表示部４１に送信し、第１描画時間で、送信した商品情報の画像データに表示を書き換えるよう指示する。表示部４１は、その指示に従って、第１描画時間の間に、それまで表示されていた通常画面を消去すると共に、送信されてきた商品情報の画像データを新たな通常画面として描画する。
【００８０】
次に、受光部４２ａが管理画面書換指令（第１指令の一例）を受け付けた場合について、図９のフローチャートを用いて説明する。
【００８１】
ステップＳ２０１では、書換部４３ａは、管理画面書換指令に情報として含まれている描画指示時間（Ｂ１，Ｂ２，Ｂ３のいずれか）を取得し、その値を第２描画時間と決定する。なお、描画指示時間Ｂ１，Ｂ２，Ｂ３は、記憶部４４に記憶されているテーブル内の第１描画時間Ａ１〜Ａ５との間に、Ａ１＞Ａ２＞Ａ３＞Ａ４＞Ａ５＞Ｂ１＞Ｂ２＞Ｂ３という関係がある。つまり、第２描画時間は、第１描画時間よりも短い。
【００８２】
次に、ステップＳ２０２では、書換部４３ａは、記憶部４４に記憶された発注関連情報の画像データを読み出す。
【００８３】
次に、ステップＳ２０３では、書換部４３ａは、ステップＳ１０３で読み出した発注関連情報の画像データを表示部４１に送信し、第２描画時間で、送信した発注関連情報の画像データに表示を書き換えるよう指示する。表示部４１は、その指示に従って、第２描画時間の間に、それまで表示されていた通常画面（第２画面の一例）を消去すると共に、送信されてきた発注関連情報の画像データを管理画面（第１画面の一例）として描画する。
【００８４】
なお、第２描画時間は、上記のステップＳ１０２のように周辺温度Ｔａに対する最適な描画時間である第１描画時間よりも短いため、画質が悪くなる場合がある。具体的には、例えば、図６のように、それまで表示されていた通常画面（商品情報の画像データ）の消去が不完全なまま、発注関連情報の画像データが重ねて表示される場合がある。また、例えば、発注関連情報の画像データの表示濃度が薄くなる場合がある。このような画面は、商品管理者が発注関連情報を把握する上では許容される。しかし、商品購入者向けの画面の画質が図６と同様なものであったとすれば、商品購入者の売価等を誤認する可能性があるため許容されない。
【００８５】
なお、商品管理者が、管理画面書換指令をリモコン５０から送信するために、第２または第３スイッチ５１ｂ，５１ｃを押していた場合（管理画面書換指令に含まれる描画指示時間がＢ２又はＢ３の場合）には、商品管理者は、リモコン５０の、より長い描画指示時間を情報として送信するスイッチを押すことで、表示部４１の画質（視認性）を向上させることができる。一方、商品管理者が、管理画面書換指令をリモコン５０から送信するために、第１または第２スイッチ５１ａ，５１ｂを押していた場合（管理画面書換指令に含まれる描画指示時間がＢ１又はＢ２の場合）には、商品管理者は、リモコン５０の、より短い描画指示時間を情報として送信するスイッチを押すことで描画時間を短縮し、作業効率をさらに向上させることができる。
【００８６】
ステップＳ２０３終了後、ステップＳ２０４では、書換部４３ａは、温度センサ４５から制御部４３に送信される周辺温度Ｔａを取得する。その後ステップＳ２０５に進む。
【００８７】
ステップＳ２０５では、書換部４３ａは、表示部４１の表示を、現在の管理画面（第１画面の一例）から通常画面（第２画面の一例）に書き換えるための第１描画時間を、記憶部４４に記憶されている、電子棚札４０の周辺温度と第１描画時間とを関連付けたテーブル（図７参照）を用いて決定する。ステップＳ２０５の処理は、前述のステップＳ１０２と同様であるので説明は省略する。
【００８８】
次に、ステップＳ２０６では、ステップＳ２０３で管理画面が表示された後、所定時間（例えば１０秒）が経過したか否かが判定される。ステップＳ２０６は、所定時間が経過したと判定されるまで繰り返される。所定時間が経過したと判定されると、ステップＳ２０７に進む。
【００８９】
ステップＳ２０７では、書換部４３ａは、記憶部４４に記憶された商品情報の画像データを読み出す。
【００９０】
次に、ステップＳ２０８では、書換部４３ａは、ステップＳ２０７で読み出した商品情報の画像データを表示部４１に送信し、第１描画時間で、送信した商品情報の画像データに表示を書き換えるよう指示する。表示部４１は、その指示に従って、第１描画時間の間に、それまで表示されていた管理画面を消去すると共に、送信されてきた商品情報の画像データを通常画面として描画する。
【００９１】
（４）特徴
（４−１）
本実施形態に係る電子棚札４０は、電子ペーパを用いた表示部４１と、受付部としての受光部４２ａと、書換部４３ａと、を備える。受光部４２ａは、表示部４１の表示の書換指令を受け付ける。書換部４３ａは、表示部４１の表示を書き換える。書換部４３ａは、表示部４１の表示を管理画面（第１画面の一例）から通常画面（第２画面の一例）へと第１描画時間で書き換える。また、書換部４３ａは、受光部４２ａが書換指令として管理画面書換指令（第１指令の一例）を受け付けた場合に、第１描画時間よりも短い第２描画時間で、表示部４１の表示を通常画面から管理画面へと書き換える。
【００９２】
ここでは、表示部４１の表示が管理画面から通常画面へと書き換えられる場合には、比較的長い（第２描画時間より長い）第１描画時間で表示が書き換えられるのに対し、受光部４２ａが第１指令を受け付けた場合には、通常画面から管理画面へと比較的短い（第１描画時間より短い）第２描画時間で表示部４１の表示が書き換えられる。そのため、電子棚札４０が低温環境下（例えば、冷蔵ケース内）で使用されたとしても、管理画面書換指令により（言い換えれば、商品管理者の要望に応じて）、表示部４１の表示を比較的短時間で書き換えることができ、商品管理者の作業効率を向上させることが可能である。
【００９３】
（４−２）
本実施形態に係る電子棚札４０では、管理画面は、当該電子棚札４０と関連付けられた商品Ｐの在庫情報、および、商品Ｐの販売情報の少なくとも一方を含む発注関連情報を表示する商品管理者向けの画面である。通常画面は、商品Ｐの売価、および、広告の少なくとも一方を表示する商品購入者向けの画面である。
【００９４】
ここでは、管理画面は商品管理者向けの画面であるため、画質はあまり重要ではないが、作業効率の観点から描画時間の短縮が求められる。一方、通常画面は、商品購入者向けの画面であることから、画質が特に重要となる。
【００９５】
これに対し、上記のように、管理画面書換指令を受け付けた場合には、通常画面から管理画面へと比較的短い第２描画時間で表示部４１の表示が書き換えられるため、管理画面を作業に利用する商品管理者の作業性を向上させることができる。一方で、管理画面から通常画面に表示を書き換える場合には、描画時間として比較的長い第１描画時間が確保されるため、商品購入者向けの画面の画質を高く維持することが容易である。
【００９６】
（４−３）
本実施形態に係る電子棚札４０では、書換部４３ａは、受光部４２ａが書換指令として通常画面書換指令（第２指令の一例）を受け付けた場合に、第１描画時間で表示部４１の表示を通常画面（第２画面の一例）から、表示内容である商品情報の一部又は全部が変更された他の通常画面（第３画面の一例）へと書き換える。他の通常画面（第３画面の一例）は、商品購入者向けの画面である。
【００９７】
ここでは、電子棚札４０の表示部４１の表示が、商品購入者向けの画面から、別の商品購入者向けの画面へと書き換えられる場合には、比較的長い第１描画時間で表示部４１の書き換えが行われるため、高い画質の画像を表示することが容易である。その結果、商品購入者による表示部４１の表示内容の誤認が発生しにくい。
【００９８】
（４−４）
本実施形態に係る電子棚札４０は、周辺温度Ｔａを計測する温度計測部としての温度センサ４５を備える。第１描画時間は、温度センサ４５により計測された周辺温度Ｔａに応じて決定される。
【００９９】
ここでは、第１描画時間が、周辺温度Ｔａに応じて決定される。そのため、低温条件下にあっても、通常画面については、高い画質を維持することが容易である。
【０１００】
（４−５）
本実施形態に係る電子棚札４０は、管理画面書換指令は、第２描画時間に関する情報（描画指示時間）を含む。
【０１０１】
ここでは、第２描画時間を可変とすることが容易である。第２描画時間を可変とすることで、必要に応じて、表示部４１の描画時間を長くして管理画面の画質を改善したり、表示部４１の描画時間を短くして作業効率をより向上させたりすることができる。
【０１０２】
（４−６）
本発明に係る電子棚札システム１００は、複数の電子棚札４０と、電子棚札４０に各種指令を送信する携帯型送信機としてのリモコン５０と、を備える。各電子棚札４０は、電子ペーパを用いた表示部４１と、受信部としての受光部４２ａと、書換部４３ａと、を有する。受光部４２ａは、リモコン５０から指令を受信する。書換部４３ａは、第１描画時間で表示部４１の表示を管理画面（第１画面の一例）から通常画面（第２画面の一例）へと書き換える。リモコン５０は、表示部４１の表示を通常画面から管理画面へと書き換えることを命じる管理画面書換指令（第１指令の一例）を受光部４２ａに送信する。書換部４３ａは、受光部４２ａが管理画面書換指令を受信した場合に、第１描画時間よりも短い第２描画時間で、表示部４１の表示を通常画面から管理画面へと書き換える。
【０１０３】
ここでは、電子棚札４０の表示部４１の表示が管理画面から通常画面へと書き換えられる場合には、比較的長い第１描画時間で表示が書き換えられるのに対し、商品管理者がリモコン５０を用いて電子棚札４０に管理画面書換指令を送信する場合には、通常画面から管理画面へと比較的短い第２描画時間で表示部４１の表示が書き換えられる。そのため、電子棚札４０が低温環境下で使用されたとしても、管理画面書換指令により（言い換えれば、商品管理者の要望に応じて）、表示部４１の表示を比較的短時間で書き換えることができ、商品管理者の作業効率を向上させることが可能である。
【０１０４】
（５）変形例
以下に本実施形態の変形例について説明する。なお、矛盾しない範囲で、複数の変形例が組み合わされてもよい。
【０１０５】
（５−１）変形例Ａ
上記実施形態に係る電子棚札システム１００では、電子棚札４０の通信部４２と、トランシーバ３０およびリモコン５０とは、赤外線を用いて信号の送受信を行うがこれに限定されるものではない。例えば、電子棚札４０の通信部４２と、トランシーバ３０およびリモコン５０とは、電波を用いて信号の送受信を行うものであってもよい。
【０１０６】
（５−２）変形例Ｂ
上記実施形態に係る電子棚札システム１００では、リモコン５０は、異なる描画指令時間を含む管理画面書換指令を送信するため、３つのスイッチ５１ａ，５１ｂ，５１ｃを有するが、これに限定されるものではない。例えば、リモコン５０は、異なる描画指令時間を含む管理画面書換指令を送信するためのスイッチを２つ、又は、４つ以上有するものであってもよい。
【０１０７】
また、例えば、リモコン５０は、管理画面書換指令を送信するため単一のスイッチを有するものであって、リモコン５０から電子棚札４０には、単一の描画指令時間を含む管理画面書換指令が送信されてもよい。ただし、商品管理者の要望に応じて、第２描画時間を短縮して作業性を更に向上させたり、管理画面の画質を向上させたりすることを可能にするためには、リモコン５０は、異なる描画指令時間を含む管理画面書換指令を送信するため、複数のスイッチを有することが望ましい。
【０１０８】
（５−３）変形例Ｃ
上記実施形態に係る電子棚札システム１００では、リモコン５０は、異なる描画指令時間を含む管理画面書換指令を送信するためのスイッチ５１ａ，５１ｂ，５１ｃを有するが、これに限定されるものではない。例えば、リモコン５０はスイッチ５１ａ，５１ｂ，５１ｃを有し、押されたスイッチ５１ａ，５１ｂ，５１ｃに応じてそれぞれ異なる認識記号を含む管理画面書換指令を電子棚札４０に送信してもよい。そして、電子棚札４０は、受信した認識記号に応じて、記憶部４４に記憶された描画指令時間を第２描画時間として読み出すものであってもよい。
【０１０９】
（５−４）変形例Ｄ
上記実施形態に係る電子棚札システム１００では、リモコン５０は、異なる描画指令時間を含む管理画面書換指令を送信するためのスイッチ５１ａ，５１ｂ，５１ｃを有するが、これに限定されるものではない。
【０１１０】
例えば、リモコン５０は、管理画面書換指令を送信するため単一のスイッチを有するものであって、管理画面書換指令には描画指令時間に関する情報は含まれていなくてもよい。そして、電子棚札４０の書換部４３ａは、電子棚札４０の記憶部４４に記憶された、第１描画時間より短い単一の第２描画時間を、通常画面から管理画面へと書き換える描画時間としてもよい。例えば、上記の実施形態の記号を用いれば、記憶部４４に、図７のテーブルの第１描画時間Ａ１〜Ａ５よりも短い描画指示時間Ｂ１が、第２描画時間として記憶されていてもよい。
【０１１１】
さらに、記憶部４４に第２描画時間を記憶させる場合には、図７と同様の、電子棚札４０の周辺温度と第２描画時間とを関連付けたテーブルを、記憶部４４に記憶させてもよい。そして、電子棚札４０の書換部４３ａは、管理画面書換指令を受け付けた時に温度センサ４５の計測した周辺温度Ｔａを把握し、その周辺温度Ｔａに応じて、その周辺温度Ｔａにおける第１描画時間よりも短い第２描画時間を決定してもよい。
【０１１２】
（５−５）変形例Ｅ
上記実施形態に係る電子棚札４０の、書換部４３ａによる表示部４１の表示の書き換え処理のフローチャートは一例であって、これに限定されるものではない。例えば、書換部４３ａは、表示部４１の表示が通常画面に書き換えられる直前に第１描画時間を算出しているが、第１描画時間は予め決定されていてもよい。例えば、書換部４３ａは、定期的に（例えば５分毎に）温度センサ４５から周辺温度Ｔａを受け付け、その周辺温度Ｔａを用いて予め第１描画時間を決定してもよい。
【０１１３】
（５−６）変形例Ｆ
上記実施形態に係る電子棚札４０では、書換部４３ａが、温度センサ４５が計測した周辺温度Ｔａと、記憶部４４に記憶された、電子棚札４０の周辺温度と第１描画時間とを関連付けたテーブルと、を用いて、第１描画時間を算出しているが、これに限定されるものではない。例えば、記憶部４４に、電子棚札４０の周辺温度と第１描画時間との関係式を記憶させておき、書換部４３ａは、温度センサ４５が計測した周辺温度Ｔａと、その関係式と、を用いて、第１描画時間を決定してもよい。
【０１１４】
（５−７）変形例Ｇ
上記実施形態に係る電子棚札４０では、記憶部４４に、商品情報の画像データや、発注関連情報の画像データが記憶されているが、これに限定されるものではない。電子棚札４０の制御部４３は、表示部４１の表示を管理画面（発注関連情報の画像データ）に書き換える場合や、表示部４１の表示を管理画面から通常画面（商品情報の画像データ）に書き換える場合に、電子棚札サーバ１０に画像データの送信を要求する信号を送信し、送信されてくる画像データを用いて表示物４１の表示の書き換えを行ってもよい。
【０１１５】
（５−８）変形例Ｈ
上記実施形態に係る電子棚札４０では、表示部４１の表示が通常画面から管理画面へと書き換えられた後、所定時間が経過すると、管理画面から通常画面へと表示部４１の表示が書き換えられるが（図９のステップＳ２０６参照）、これに限定されるものではない。表示部４１の表示は、リモコン５０からの指令によって、管理画面から通常画面へと書き換えられてもよい。
【０１１６】
（５−９）変形例Ｉ
上記実施形態に係る電子棚札４０では、受光部４２ａが、リモコン５０から送信される管理画面書換指令を受け付けるが、これに限定されるものではない。例えば、電子棚札４０には、表示部４１の表示を通常画面から管理画面に書き換えることを命じるためのスイッチが設けられ、電子棚札４０は、このスイッチが操作されると、管理画面書換指令を受け付けたと判定するよう構成されてもよい。
【産業上の利用可能性】
【０１１７】
本発明に係る電子棚札システムおよび電子棚札は、電子棚札が低温環境下で使用される場合であっても、電子棚札の製造費およびランニングコストを上昇させることなく、電子棚札が表示する情報を利用する作業者の作業効率を高めることが可能な、電子棚札システムおよび電子棚札として有用である。
【符号の説明】
【０１１８】
４０  電子棚札
４１  表示部
４２ａ  受光部（受付部、受信部）
４３ａ  書換部
４５  温度センサ（温度計測部）
５０  リモコン（携帯型送信機）
１００  電子棚札システム
【先行技術文献】
【特許文献】
【０１１９】
【特許文献１】特開２００８−４８８６８号公報
【図１】
2015024045.tif 000003
【図２】
2015024045.tif 000004
【図３】
2015024045.tif 000005
【図４】
2015024045.tif 000006
【図５】
2015024045.tif 000007
【図６】
2015024045.tif 000008
【図７】
2015024045.tif 000009
【図８】
2015024045.tif 000010
【図９】
2015024045.tif 000011